(57)【要約】【課題】パイルが出し易く蒸れ難い編み組織で、吸湿性に富み肌触りが良好で、糸種の割りに薄く軽くでき、細い糸でも透けず、冷え性対策に優れた下半身用衣類を提供する。【解決手段】弾性糸を含む複合糸ａで平編みした第１コース１と、吸放湿性に優れた紡績糸ｂ１に嵩高加工糸ｂ２を引き揃えた２本の糸ｂでタック編みした第２コース２と、弾性糸を含む複合糸ｃで平編みした第３コース３と、吸放湿性に優れた紡績糸ｄ１に嵩高加工糸ｄ２を引き揃えた２本の糸ｄでタック編みした第４コース４とを１サイクルとする編み組織を反復して編成された下半身用衣類Ａの主要部Ｂを備え、第２コース２及び第４コース４は、２本の糸ｂ、ｄを添え糸編み方式で給糸してタック編みし、そのタック編み部分では２本の糸ｂ、ｄを１ウエール〜複数ウエール分だけコース方向にずらせて編成して前記紡績糸ｂ１、ｄ１を主要部Ｂの内面側にループ状に突出させて編成してある。【選択図】図１
2009161868.tif 000002
【特許請求の範囲】
【請求項１】
弾性糸を含む複合糸で平編みした第１コースと、吸放湿性に優れた紡績糸に嵩高加工糸を引き揃えた２本の糸でタック編みした第２コースと、弾性糸を含む複合糸で平編みした第３コースと、吸放湿性に優れた紡績糸に嵩高加工糸を引き揃えた２本の糸、又は、嵩高加工糸同士を引き揃えた２本の糸でタック編みした第４コースとを１サイクルとする編み組織を反復して編成された主要部を備えており、前記第２コース及び第４コースは、前記２本の糸を添え糸編み方式で給糸してタック編みし、しかも、前記第２コース及び第４コースのタック編み部分では前記２本の糸を１ウエール〜複数ウエール分だけコース方向にずらせて編成、若しくは、ずらせることなく編成し、この編成と前記第２コース及び第４コースの２本の糸の伸縮量差により吸放湿性に優れた紡績糸を主要部の内面側にループ状に突出させて編成してあることを特徴とする下半身用衣類。
【請求項２】
前記第２コースは、１×３タック編みで編成されており、また、前記第４コースは、１×１タック編み、又は、１×３タック編みで編成されていることを特徴とする請求項１に記載の下半身用衣類。
【請求項３】
前記第１コース及び第３コースの複合糸は、ポリウレタン等の弾性糸にウーリーナイロン等の嵩高加工糸をカバリングした糸で構成されており、また、前記第２コース及び第４コースの吸放湿性に優れた紡績糸は、綿等の天然繊維、レーヨンやポリエステル等の人造繊維の単独又は複合紡績糸で構成されており、さらに、前記吸放湿性に優れた紡績糸に引き揃えられる嵩高加工糸は、ウーリーナイロン等の嵩高加工糸で構成されていることを特徴とする請求項１又は２に記載の下半身用衣類。
【発明の詳細な説明】
【技術分野】
【０００１】
本発明は、冷え性対策が施されたパンツ、タイツ、靴下、パンティストッキング等の下半身用衣類に関するものである。
【背景技術】
【０００２】
従来、弾性糸を芯にしたカバリング糸からなる地糸と、ウーリー加工糸からなる裏毛糸とを１コース置きに供給し、地糸で編成された地組織に裏毛糸を、３又は５ウエール置きに編み込み、それ以外のウエールでは裏毛糸を編地裏側に浮かせることにより裏毛パイルを形成した３×１又は５×１フロートパイル編地により、パンティ部からレッグ部のふくらはぎ下までを編成し、ふくらはぎ下からフート部までを地組織のみで編成した保温性に優れたパンティストッキングが提案されている（特許文献１参照）。
【特許文献１】登録実用新案第３０２０１４８号公報
【発明の開示】
【発明が解決しようとする課題】
【０００３】
前記特許文献１のパンティストッキングでは、裏毛糸として、ウーリー加工糸だけを使用し、かつ、この裏毛糸をフロート編みすることによって裏毛パイルを形成させている。ところが、これであると、必要な保温性を確保するためには、大きいパイルを形成することが必要となり、大きいパイルを形成させるためには、地糸組織に対して裏毛糸を長くフロートさせる必要がある。そうすると、編地がコース方向（横方向）に裏毛糸のフロート長さ分（パイル形成分）だけ大きく縮められ、それだけ地厚となり、通気性が悪化し、蒸れ易いという問題点がある。しかも、この裏毛糸と地糸とを１コース置きに交互に供給して編成するものであるため、裏毛パイルの形成組織が過密となって、一層地厚となる問題点がある。また、裏毛パイルを構成する裏毛糸としてウーリー加工糸を使用しているだけであるため、吸湿性が乏しく乾燥速度も遅くなり、肌触りが悪いという問題点もある。
【０００４】
本発明は、パイル形成糸の構成、及び、編み組織を改善し、従来技術の上記問題点を解消したもので、パイルが出し易く蒸れ難い編み組織とし、しかも、吸湿性に富み肌触りが良好で、糸種の割りに薄く軽くでき、細い糸でも透けず、冷え性対策に優れた下半身用衣類を提供することを目的としている。
【課題を解決するための手段】
【０００５】
前記目的を達成するために本発明の下半身用衣類は、弾性糸を含む複合糸で平編みした第１コースと、吸放湿性に優れた紡績糸に嵩高加工糸を引き揃えた２本の糸でタック編みした第２コースと、弾性糸を含む複合糸で平編みした第３コースと、吸放湿性に優れた紡績糸に嵩高加工糸を引き揃えた２本の糸、又は、嵩高加工糸同士を引き揃えた２本の糸でタック編みした第４コースとを１サイクルとする編み組織を反復して編成された主要部を備えており、前記第２コース及び第４コースは、前記２本の糸を添え糸編み方式で給糸してタック編みし、しかも、前記第２コース及び第４コースのタック編み部分では前記２本の糸を１ウエール〜複数ウエール分だけコース方向にずらせて編成、若しくは、ずらせることなく編成し、この編成と前記第２コース及び第４コースの２本の糸の伸縮量差により吸放湿性に優れた紡績糸を主要部の内面側にループ状に突出させて編成してある。なお、本発明において、下半身用衣類の主要部とは、パンツ、タイツ、パンティストッキングのようなパンティ部を有する衣類の場合では、少なくともパンティ部を含むものとし、靴下類の場合では、レッグ部だけ、或いは、全体を含むものとする。
【０００６】
この構成によれば、第２コース及び第４コースにおけるタック編み部分では前記２本の糸を１ウエール〜複数ウエール分だけコース方向にずらせて編成することと、吸放湿性に優れた紡績糸（伸縮量小）と嵩高加工糸（伸縮量大）との伸縮量差を利用することとの併用によってパイルを形成させているため、これら２本の糸をコース方向にずらせる長さを少なくして比較的大きいパイルを形成することが可能となり、その分、地厚となることが軽減され、通気性の低下も防止でき、蒸れを少なくすることができる。しかも、パイルは、吸放湿性に優れた紡績糸で形成させているため、吸湿性に優れ、乾燥速度の向上も図れるため、べとつきをなくして、肌触りを良好とできる。さらに、前記第１コースから第４コースを１サイクルとする編み組織の反復で主要部が編成されているため、糸種の割りに薄く軽くでき、細い糸でも透けず、冷え性対策に優れた下半身用衣類を提供することができる。
【０００７】
前記第２コースは、１×３タック編みで編成されており、また、前記第４コースは、１×１タック編み、又は、１×３タック編みで編成されていることが好ましい。
また、前記第１コース及び第３コースの複合糸は、ポリウレタン等の弾性糸にウーリーナイロン等の嵩高加工糸をカバリングした糸で構成されており、また、前記第２コース及び第４コースの吸放湿性に優れた紡績糸は、綿等の天然繊維、レーヨンやポリエステル等の人造繊維の単独又は複合紡績糸で構成されており、さらに、前記吸放湿性に優れた紡績糸に引き揃えられる嵩高加工糸は、ウーリーナイロン等の嵩高加工糸で構成されていることが好ましい。
【発明の効果】
【０００８】
本発明によれば、パイル形成糸の構成、及び、編み組織を改善し、従来技術の上記問題点を解消したもので、パイルが出し易く蒸れ難い編み組織とし、しかも、吸湿性に富み肌触りが良好で、糸種の割りに薄く軽くでき、細い糸でも透けず、冷え性対策に優れた下半身用衣類を提供することができる。
【発明を実施するための最良の形態】
【０００９】
以下、本発明の構成を図面に基づいて説明する。
図１は本発明に係る下半身用衣類の主要部の編み組織図を示し、図２はパンツに適用した実施例図である。
本発明の下半身用衣類Ａは、図１に示すように、弾性糸を含む複合糸ａで平編みした第１コース１と、吸放湿性に優れた紡績糸ｂ１に嵩高加工糸ｂ２を引き揃えた２本の糸ｂでタック編みした第２コース２と、弾性糸を含む複合糸ｃで平編みした第３コース３と、吸放湿性に優れた紡績糸ｄ１に嵩高加工糸ｄ２を引き揃えた２本の糸ｄ、又は、嵩高加工糸ｄ２同士を引き揃えた２本の糸ｄでタック編みした第４コース４とを１サイクルとする編み組織を反復して編成された主要部Ｂを備えており、前記第２コース２及び第４コース４は、前記２本の糸ｂ、ｄを添え糸編み方式で給糸してタック編みし、しかも、前記第２コース２及び第４コース４のタック編み部分では前記２本の糸ｂ、ｄを１ウエール〜複数ウエール分だけコース方向にずらせて（又は、飛ばして）編成し、この編成と前記２本の糸ｂ、ｄの伸縮量差により吸放湿性に優れた紡績糸ｂ１、ｄ１を主要部Ｂの内面側にループ状に突出させて編成してある。
【００１０】
上記下半身用衣類Ａの主要部Ｂとは、パンツ、タイツ、パンティストッキングのようなパンティ部を有する衣類の場合では、少なくともパンティ部を含むものとし、靴下類の場合では、レッグ部だけ、或いは、全体を含むものとする。
前記第２コース２は、図１の実施例では、１×３タック編みで編成されており、また、前記第４コース４は、１×１タック編みで編成されている。なお、第４コースは、１×３タック編みで編成してもよい。
前記第１コース１及び第３コース３の平編み組織の編成に使用されている複合糸ａ、ｃは、例えば、ポリウレタン等の弾性糸（１７ｄｔｅｘ）を芯糸とし、これにウーリーナイロン等の嵩高加工糸（５０ｄｔｅｘ）を巻き付けたシングルカバリング糸で構成されている。
【００１１】
また、前記第２コース２又は第４コース４で使用されている吸放湿性に優れた紡績糸ｂ１、ｄ１は、例えば、綿等の天然繊維、レーヨンやポリエステル等の人造繊維の単独又は複合紡績糸（５０番手）で構成されている。
さらに、前記吸放湿性に優れた紡績糸ｂ１、ｄ１と引き揃えて使用される嵩高加工糸ｂ２、ｄ２は、例えば、ウーリーナイロン等の嵩高加工糸（３３ｄｔｅｘ）で構成されている。なお、第４コース４において、嵩高加工糸ｄ２同士で編成される場合では、（５０ｄｔｅｘ）と（３３ｄｔｅｘ）との引き揃えとするのが好ましい。
【００１２】
図２は、靴下用丸編機（４００本針）により図１の編み組織で主要部Ｂを含む下半身用衣類Ａの全体を編成したパンツの実施例図であって、内面には、ループが突出してパイルＣが形成されている。このパンツは、靴下用丸編機で右半身部分と左半身部分とを前記図１の編み組織によってそれぞれ円筒状に編成したものを、その一側において、履き口部分（上端部分）から股下部分まで切開し、この切開部分同士を縫合して製作されている。
本発明に係る下半身用衣類Ａは、以上の構成からなり、次に、その作用効果を説明する。
【００１３】
上記構成によれば、第２コース２及び第４コース４におけるタック編み部分では２本の糸ｂ、ｄを１ウエール〜複数ウエール分だけコース方向にずらせて編成することと、吸放湿性に優れた紡績糸（伸縮量小）ｂ１、ｄ１と嵩高加工糸（伸縮量大）ｂ２、ｄ２との伸縮量差を利用することとの併用によってパイルＣを形成させているため、これら２本の糸ｂ、ｄをコース方向にずらせるウエール数を多くして比較的大きいパイルＣを形成することが可能となる。
これによって、編地がコース方向に詰まることを少なくすることができ、その分、地厚となることが軽減され、通気性の低下も防止でき、蒸れを少なくすることができる。しかも、パイルＣは、吸放湿性に優れた紡績糸ｂ１、ｄ１で形成させているため、吸湿性に優れ、乾燥速度の向上も図れるため、べとつきをなくして、肌触りを良好とできる。
【００１４】
さらに、前記第１コース１から第４コース４を１サイクルとする編み組織の反復で主要部Ｂが編成されているため、糸種の割りに薄く軽くでき、細い糸でも透けず、冷え性対策に優れた下半身用衣類Ａを提供することができる。なお、これを数サイクル分、例えば、２サイクル繰り返し、次の数サイクル、例えば、２サイクルを同組織とし、数ウエール分横にずらして編成するというようなパターンとしてもよい。
本発明に係る下半身用衣類Ａの実施形態は、以上であるが、本発明は、この実施形態にのみ制約されるものではなく、種々変更して実施することができる。例えば、第２コース及び第４コースのタック編み部分では、２本の糸ｂ、ｄをコース方向にずらせることなく編成してもよい。また、パンツの他、タイツ、パンティストッキング、靴下類、その他の下半身用衣類に適用することができる。
【図面の簡単な説明】
【００１５】
【図１】本発明に係る下半身用衣類の主要部の編み組織図である。
【図２】パンツに適用した本発明の下半身用衣類の実施例図である。
【符号の説明】
【００１６】
１    第１コース
２    第２コース
３    第３コース
４    第４コース
Ａ    下半身用衣類
Ｂ    主要部
Ｃ    パイル
ａ    第１コースの複合糸
ｂ    第２コースの２本の糸
ｂ１    吸放湿性に優れた紡績糸
ｂ２    嵩高加工糸
ｃ    第３コースの複合糸
ｄ    第４コースの２本の糸
ｄ１    吸放湿性に優れた紡績糸
ｄ２    嵩高加工糸
【図１】
2009161868.tif 000003
【図２】
2009161868.tif 000004